(57)【要約】【課題】投入動作時の絶縁操作棒の左右の振れを無くし、タッチ点以降の投入動作を円滑にする。【解決手段】絶縁操作棒１を挿通したケース１６の上端に下部軸受１７を介してリンク機構ケース１８を取り付け、リンク機構ケース１８には左右一対の真空インタラプタ６の一端を取り付けるとともに、真空インタラプタ６の他端には導体２３を取り付け、絶縁操作棒１の上端にはガイド軸１９を同芯状に取り付けるとともに、リンク機構ケース１８内には絶縁操作棒１の上端と真空インタラプタ６の可動側とを接続するリンク機構２０を設け、リンク機構２０と真空インタラプタ６との接続部には圧接ばね２７を設け、リンク機構ケース１８にはガイド軸１９と移動自在に嵌合する上部軸受２１を設け、リンク機構ケース１８及び真空インタラプタ６の周囲を接地タンク２４で覆った。【選択図】図１
2007188734.tif 000002
【特許請求の範囲】
【請求項１】
内部に絶縁操作棒を移動自在に挿通したケースの上端には接地タンク及び絶縁操作棒の下部軸受を介してリンク機構ケースを取り付け、該リンク機構ケースには左右一対の真空インタラプタの一端を取り付けるとともに、各真空インタラプタの他端に導体を連結し、接地タンク及び下部軸受を挿通した絶縁操作棒の上端にはガイド軸を同芯状に取り付けるとともに、リンク機構ケース内には絶縁操作棒の上端と各真空インタラプタの可動側とを接続するリンク機構を設け、該リンク機構と各真空インタラプタとの接続部には圧接ばねを設け、かつリンク機構ケースにはガイド軸と移動自在に嵌合する上部軸受を設け、リンク機構ケース及び各真空インタラプタの周囲を接地タンクで覆ったことを特徴とする真空遮断器。
【発明の詳細な説明】
【技術分野】
【０００１】
この発明は、真空遮断器、特に２点切りの真空遮断器の遮断部リンク機構に関するものである。
【背景技術】
【０００２】
図３は非特許文献１に記載された従来の２点切りの真空遮断器の縦断正面図を示し、１は立設された支持碍管２内に移動自在に挿通支持された絶縁操作棒であり、支持碍管２の上端にはリンク機構ケース３を介して左右一対の遮断部碍管４の一端を接続する。リンク機構ケース３の内部には絶縁操作棒１の上端に接続されたリンク機構５が設けられるとともに、一対の遮断部碍管４内にはそれぞれ真空インタラプタ（遮断部）６が設けられ、リンク機構５にはそれぞれ絶縁ロッド１３を介して一対の真空インタラプタ６の可動リード７の一端が接続される。可動リード７の他端は真空インタラプタ６に気密にかつ移動可能に挿入される。又、遮断部碍管４内には可動リード７と電気的接続を得るためのリングコンタクト８が設けられる。
【０００３】
遮断部碍管４の他端には主回路端子９が取り付けられ、一端が主回路端子９と接続された固定リード１０が真空インタラプタ６内に気密にかつ固定して挿入され、可動リード７及び固定リード１０の他端にはそれぞれ可動コンタクト１１及び固定コンタクト１２が取り付けられる。又、絶縁ロッド１３の周囲には可動コンタクト１１を固定コンタクト１２に圧接するための圧接ばね１４を設ける。又、リンク機構ケース３と主回路端子９との間には真空インタラプタ６と並列に分圧コンデンサ１５を接続する。リンク機構ケース３及び遮断部碍管４の内部には絶縁のためにＳＦ6ガスを充填する。また、ＳＦ6ガスの他に加圧乾燥空気または絶縁油が適用されることもある。
【０００４】
上記構成において、投入動作は、投入指令により、操作機構と連結した図示しないレバーの回転により絶縁操作棒１を上方に押し上げると、リンク機構５がＹ字形に開いていき、左右の可動コンタクト１１が固定コンタクト１２に接触し、回路を閉路する。しかし、絶縁操作棒１はさらに運動を続け、リンク機構５のＹ字形はさらに大きく開いてゆき、圧接ばね１４を圧縮し、所定の圧縮量となった時点で閉路動作が完了し、コンタクト１１，１２間を加圧する。一方、遮断動作は、引き外し指令が出ると、レバーの回転により絶縁操作棒１を下方に引っ張り、リンク機構５を介して可動リード７が動き、コンタクト１１，１２間が開離し、電流を遮断する。
【非特許文献１】明電舎発行、カタログ番号ＧＢ２４−１９９６「明電１６８ｋＶ真空遮断器（ＶＴ−１４２／ＶＴ−１４３形）」
【発明の開示】
【発明が解決しようとする課題】
【０００５】
上記した従来の真空遮断器においては、真空インタラプタ６を２個使用しており、左右の真空インタラプタ６のタッチ点（コンタクト１１，１２が接するタイミング）が同一となるように調整しているが、全くの同一にはならない。又、左右の圧接ばね１４のばね力に差があるため、コンタクト１１，１２の接触以降は絶縁操作棒１は左右に振れながら投入動作を完了する。このため、タッチ点以降の動作に速度が出ず、動作が停滞する。場合によっては、投入動作の途中で動作が止まってしまうことになる。その対策としてリンク機構５の下部に軸受を設け、絶縁操作棒１の左右の曲がりを抑えるようにしているが、投入タッチ点においては、絶縁操作棒１が軸受から伸び出すので、左右の曲がりの防止効果が弱くなった。そこで、リンク機構５の上部にも軸受を設ければ、絶縁操作棒１の曲がりの防止効果は大きくなるが、リンク機構５の上部にはその遮断位置用のストッパ（図示せず）があるので、リンク機構５の上部には軸受が設けられない。
【０００６】
この発明は上記のような課題を解決するために成されたものであり、リンク機構の上部及び下部に絶縁操作棒の軸受を設けることのより投入操作時における絶縁操作棒の左右の振れを防止し、左右の真空インタラプタのタッチ点以降の投入動作を円滑に行うことができる真空遮断器を得ることを目的とする。
【課題を解決するための手段】
【０００７】
この発明の請求項１に係る真空遮断器は、内部に絶縁操作棒を移動自在に挿通したケースの上端には接地タンク及び絶縁操作棒の下部軸受を介してリンク機構ケースを取り付け、該リンク機構ケースには左右一対の真空インタラプタの一端を取り付けるとともに、各真空インタラプタの他端に導体を連結し、接地タンク及び下部軸受を挿通した絶縁操作棒の上端にはガイド軸を同芯状に取り付けるとともに、リンク機構ケース内には絶縁操作棒の上端と各真空インタラプタの可動側とを接続するリンク機構を設け、該リンク機構と各真空インタラプタとの接続部には圧接ばねを設け、かつリンク機構ケースにはガイド軸と移動自在に嵌合する上部軸受を設け、リンク機構ケース及び各真空インタラプタの周囲をケースで覆ったものである。
【発明の効果】
【０００８】
以上のようにこの発明によれば、絶縁操作棒の上端に同芯状にガイド軸を設け、絶縁操作棒に下部軸受を設けるとともに、ガイド軸に上部軸受を設け、絶縁操作棒を上下の軸受により案内することにより、投入動作時の絶縁操作棒の左右の振れを無くし、タッチ点以降の投入動作を円滑に行い、投入動作の停止等を防止する。
【発明を実施するための最良の形態】
【０００９】
以下、この発明を実施するための最良の形態を図面とともに説明する。図１（ａ），（ｂ）はこの発明の実施最良形態による真空遮断器の遮断時の要部縦断正面図及びそのＡ部拡大図、図２は投入時の要部縦断正面図である。図において、１６は内部に絶縁操作棒１を移動自在に挿通されたケースであり、その上端には接地タンク２４を介して支持碍管２５をボルトにより取り付け、支持碍管２５の上端には絶縁操作棒１の下部軸受１７を介してリンク機構ケース（導体）１８を取り付け、リンク機構ケース１８には左右一対の真空インタラプタ６の一端を取り付け、各真空インタラプタ６の他端は支持碍子２６を介して接地タンク２４に支持するとともに、各真空インタラプタ６の他端には導体金具２２を介して導体２３を接続する。又、接地タンク２４、支持碍管２５及び下部軸受１７を挿通した絶縁操作棒１の上端には金属製のガイド軸１９を同芯状に取り付け、リンク機構ケース１８内には絶縁操作棒１の上端と各真空インタラプタ６の可動側とを接続するリンク機構２０を設ける。リンク機構２０は、リンク２０ａとリンク２０ｂからなる。又、リンク機構２０と各真空インタラプタ６との接続部には圧接ばね２７が設けられる。また、リンク機構ケース１８内にはガイド軸１９と移動自在に嵌合する上部軸受２１が設けられる。上部軸受２１はフッソ系樹脂（例えば、テフロン（登録商標））等から形成される。又、各真空インタラプタ６と並列に分圧コンデンサ１５を取り付け、リンク機構ケース１８、各真空インタラプタ６及び導体２３の周囲は接地タンク２４により覆い、接地タンク２４内にはＳＦ6ガス等の絶縁ガスを封入する。又、従来、上部軸受２１を設ける際に邪魔であった遮断位置用のストッパは図示しない絶縁操作棒１の下部に設けた。
【００１０】
上記構成において、投入動作は、投入指令により、操作機構と連結した図示しないレバーの回転により絶縁操作棒１を上方に押し上げると、リンク機構２０のリンク２０ａが広がってゆくので、リンク２０ｂも上部軸受２１を中心にして広がってゆき、左右の真空インタラプタ６の可動コンタクト１１が固定コンタクト１２に接触し、回路を閉路する。しかし、絶縁操作棒１はさらに運動を続け、リンク機構２０のＹ字形はさらに大きく開いてゆき、圧接ばね２７を圧縮し、所定の圧縮量となった時点で閉路動作が完了し、コンタクト１１，１２間を加圧する。この際に、絶縁操作棒１は下部軸受１７に案内されるとともに、ガイド軸１９が上部軸受２１に案内されるので、投入操作時の絶縁操作棒１の左右の振れは防止される。又、遮断動作は、引き外し指令が出ると、レバーの回転により絶縁操作棒１を下方に引っ張り、リンク機構２０を介して可動リード７が動き、コンタクト１１，１２間が開離し、電流を遮断する。
【００１１】
上記した実施最良形態においては、絶縁操作棒１が下部軸受１７に案内されるとともに、ガイド軸１９が上部軸受２１に案内されるので、タッチ点以降の圧接ばね２７のばね力の差などによる投入操作時の絶縁操作棒１及びリンク機構２０等の左右の振れは防止される。このため、タッチ点以降の投入動作が停滞し、停止するのを防止することができる。また、投入速度も安定し、投入の特性が均一となる。さらに、軸受１７，２１にはラジアル方向の過大な力が発生しなくなるので、軸受１７，２１の寿命が延びる。又、投入時、タッチ点以降の操作エネルギーの損失が無くなり、操作力を低減できるので、操作機構部を小さくできる。さらに、投入完了位置において、各コンタクト１１，１２を加圧する左右の圧接ばね２７の圧接量（ワイプ量）は等しくなるので、遮断時における左右のタッチ点（接触から離れる点）のアンバランスも無くなり、遮断速度が安定し、遮断特性も均一になる。
【００１２】
なお、上記実施最良形態においては、上部軸受２１をフッ素系樹脂により形成したが、軸受は直線摺動であるから、金属同士での直線摺動でも良く、またエンジニアプラスチック等の樹脂系のものでも良い。
【図面の簡単な説明】
【００１３】
【図１】この発明の実施最良形態による真空遮断器の遮断時の要部縦断正面図及びそのＡ部拡大図である。
【図２】実施最良形態による真空遮断器の投入時の要部縦断正面図である。
【図３】非特許文献１に示された従来の真空遮断器の縦断正面図である。
【符号の説明】
【００１４】
１…絶縁操作棒
６…真空インタラプタ
７…可動リード
１０…固定リード
１１…可動コンタクト
１２…固定コンタクト
１６…ケース
１７…下部軸受
１８…リンク機構ケース（導体）
１９…ガイド軸
２０…リンク機構
２１…上部軸受
２３…導体
２４…接地タンク
２７…圧接ばね
【図１】
2007188734.tif 000003
【図２】
2007188734.tif 000004
【図３】
2007188734.tif 000005